(57)【要約】【課題】短時間に多数オンエアされるコンテンツのリストを視認性良く、表示出来るオンエア番組表示システム、オンエア番組表示装置およびその表示方法を提供する。【解決手段】オンエア番組表示装置３は、ＳＣＰ２から素材送出装置４がコンテンツを送出するイベントデータを取得して時系列に編集し、１つのＣＭ枠に属するイベントの先頭のイベント欄Ｄ１１だけ残し、残りのイベント欄Ｄ１２〜Ｄ１４を省略して表示画面に表示する圧縮表示を行う。【選択図】図２
2008148107.tif 000002
【特許請求の範囲】
【請求項１】
放送局のＡＰＣを用いて放送される番組コンテンツを確認するオンエア番組表示システムにおいて、
番組時刻表を元に所定の時刻に素材送出装置から所定のオンエアされる番組のコンテンツを送信器に向けて送出するイベント制御を行うＳＣＰと、
モニタと、入力手段と、前記ＳＣＰとの間の通信手段を備え、前記通信手段を介して前記イベント制御を行うイベントデータを取得して時系列にオンエア時刻とその時刻にオンエアされる前記番組のコンテンツとを時系列にイベント欄として前記モニタの画面に表示するよう編集したオンエア番組リストを生成し、オンエアされるコンテンツが同一の番組枠を構成する複数の前記番組のコンテンツのグループで構成される場合、その複数のコンテンツのイベント欄の内、代表となる１つだけが残り、他が省略されたイベント欄に圧縮表示されたオンエア番組リストにして前記モニタ画面に表示するオンエア番組表示装置とを
備えることを特徴とするオンエア番組表示システム。
【請求項２】
前記圧縮表示されるイベント欄の表示形態は、前記圧縮表示されないイベント欄と異なることを特徴とする請求項１記載のオンエア番組表示システム。
【請求項３】
前記代表は、前記同一の番組枠を構成するグループで先頭に放送されるコンテンツのイベント欄が表示されることを特徴とする請求項１記載のオンエア番組表示システム。
【請求項４】
前記代表は、前記同一の番組枠を構成するグループの前記番組枠の名称がコンテンツ名としてイベント欄に表示されることを特徴とする請求項１記載のオンエア番組表示システム。
【請求項５】
前記入力手段によって、前記グループおよび、前記代表が、指定されることを特徴とする請求項１記載のオンエア番組表示システム。
【請求項６】
前記番組枠は、広告番組であることを特徴とする請求項１又は、２に記載のオンエア番組表示システム。
【請求項７】
前記入力手段によって、前記圧縮表示されたイベント欄が指定された場合、その圧縮表示を行う前のイベント欄が前記モニタに表示されることを特徴とする請求項１または２に記載のオンエア番組表示システム。
【請求項８】
ＡＰＣを用いて放送される番組時刻表を元に所定の時刻に素材送出装置から所定のオンエアされる番組のコンテンツを送信器に向けて送出するイベント制御を行うＳＣＰと通信手段を介して接続され、オンエアされる番組コンテンツを表示するオンエア番組表示装置において、
モニタと、
入力手段と、
前記イベント制御を行うイベントデータを前記ＳＣＰから取得する前記通信手段と、
前記取得したイベントデータを編集してオンエア時刻とオンエアされる前記番組のコンテンツとを並べたイベント欄としてモニタに時系列に表示するオンエア番組リストを生成し、更に前記オンエアされるコンテンツが同一の番組枠を構成する複数の前記番組のコンテンツのグループで構成される場合、その複数のコンテンツのイベント欄から代表となる１つだけを残し、他を省略して表示するオンエア番組リストにしてモニタ画面に表示する制御手段とを備える
ことを特徴とするオンエア番組表示装置。
【請求項９】
前記圧縮表示されるイベント欄の表示形態は、前記圧縮表示されないイベント欄と異なることを特徴とする請求項８記載のオンエア番組表示装置。
【請求項１０】
前記代表は、前記同一の番組枠を構成するグループで先頭に放送されるコンテンツのイベント欄が表示されることを特徴とする請求項８記載のオンエア番組表示装置。
【請求項１１】
前記代表は、前記同一の番組枠を構成するグループの前記番組枠の名称がコンテンツ名としてイベント欄に表示されることを特徴とする請求項８記載のオンエア番組表示装置。
【請求項１２】
前記オンエア番組表示装置が備える入力手段によって、前記グループおよび、前記代表が、指定されることを特徴とする請求項８記載のオンエア番組表示装置。
【請求項１３】
前記番組枠は、広告番組であることを特徴とする請求項８又は９に記載のオンエア番組表示装置。
【請求項１４】
前記入力手段によって、前記圧縮表示されたイベント欄が指定された場合、その圧縮表示が行われる前のイベント欄が前記モニタに表示されることを特徴とする請求項１０又は１１記載のオンエア番組表示装置。
【請求項１５】
ＳＣＰとオンエア番組送出装置を備え、放送局のＡＰＣを用いて放送される番組コンテンツを確認するオンエア番組表示システムにおいて、
前記ＳＣＰは、番組時刻表を元に所定の時刻に素材送出装置から所定のオンエアされる番組のコンテンツを送信器に向けて送出するイベント制御を行い、
オンエア番組表示装置は、前記ＳＣＰとの間で通信して前記イベント制御を行うイベントデータを取得して時系列にオンエア時刻とその時刻にオンエアされる前記番組のコンテンツとを時系列にイベント欄としてモニタの画面に表示するよう編集したオンエア番組リストを生成し、オンエアされるコンテンツが同一の番組枠を構成する複数の前記番組のコンテンツのグループで構成される場合、その複数のコンテンツのイベント欄の内、代表となる１つだけが残り、他が省略されたイベント欄に圧縮表示されたオンエア番組リストにして前記モニタ画面に表示する
ことを特徴とするオンエア番組表示システムの表示方法。
【請求項１６】
前記圧縮表示されるイベント欄の表示形態は、前記圧縮表示されないイベント欄と異なることを特徴とする請求項１５記載のオンエア番組表示システムの表示方法。
【請求項１７】
前記代表は、前記同一の番組枠を構成するグループで先頭に放送されるコンテンツのイベント欄を表示されることを特徴とする請求項１５記載のオンエア番組表示システムの表示方法。
【請求項１８】
前記代表は、前記同一の番組枠を構成するグループの前記番組枠の名称がコンテンツ名としてイベント欄に表示されることを特徴とする請求項１５記載のオンエア番組表示システムの表示方法。
【請求項１９】
前記入力手段によって、前記グループおよび、前記代表が、指定されることを特徴とする請求項１５記載のオンエア番組表示システムの表示方法。
【請求項２０】
前記番組枠は、広告番組であることを特徴とする請求項１６又は、１７に記載のオンエア番組表示システムの表示方法。
【請求項２１】
前記入力手段によって、前記圧縮表示されたイベント欄が指定された場合、前記圧縮表示される前のイベント欄が前記モニタに表示されることを特徴とする請求項１５記載のオンエア番組表示システムの表示方法。
【発明の詳細な説明】
【技術分野】
【０００１】
本発明は、放送局がオンエア中の番組を表示するオンエア番組表示システム、オンエア番組表示装置および表示方法に関する。
【背景技術】
【０００２】
放送局の番組は、ＡＰＣによって予め設定された番組時刻表に従って所定の素材送出源の装置、設備から番組の放送素材が送出、オンエアされる。このオンエアされる番組やコンテンツは、ＡＰＣによって所定のタイミングで素材送出源の各装置類の動作処理、所謂イベントが制御されて送出される。
【０００３】
そして番組時刻表に設定されたコンテンツが予定通り放送されることをオペレータが把握出来る様にするため、オンエア、送出中のコンテンツを時系列のリストとして表示するオンエア番組表示装置がＡＰＣに付属して使用される。オンエア番組表示装置が特に重要にされるのは、商業放送で広告番組（以下、ＣＭと省略する。）のオンエアの確認である（例えば、特許文献１。）。
【０００４】
従来、ＣＭの送出は複数の広告を組み合わせたＣＭ枠を単位として行われていた。ＣＭ枠とは、ＣＭコンテンツの送出装置で送出前に複数の広告素材を１つのＣＭコンテンツとして纏めて放送するグループイベントである。
【０００５】
このＣＭ枠運用は、ほとんどの個別の広告は１５秒で構成されるが、番組プログラムの間隔は１分間のスペースが設けられるので、広告コンテンツは、それらを４つ集めた1分長の４ＣＭイベントを単位として送出されている。また、従来は、ＶＴＲテープにＣＭ番組や放送番組を収録しており、機構装置を駆動するため立ち上がり時間がかかるＶＴＲを１５秒単位で頻雑に制御するのを回避するためにも４つのコンテンツが１つに纏められた１分長のコンテンツが番組（コンテンツ）切り換えの単位であった。
【０００６】
しかし、近年ＶＴＲに代わりビデオサーバの如く機械駆動部分が無く、容易かつ速やかなビデオ信号の送出が可能な電子機器を用いて番組（コンテンツ）を収録することにより最小コンテンツ長の単位である１５秒間隔でコンテンツを切り換える制御が可能となった。
【０００７】
その結果、編成データ作成時の１５秒の素材単位でＣＭを確認する場合が生じ、ＡＰＣのイベント進行状態、即ち１５秒単位でＣＭ毎の番組が正しく送出されているかを確認するために監視モニタ上に番組名をリスト表示しなければならない。従来は、ＣＭ枠の１分長の纏められたＣＭ番組が１イベント表示されていたものが、その４倍のタイトルが表示され、画面が頻雑になると共に、そのＣＭ前後の番組タイトルがモニタに表示されなくなる等、視認性の悪化を引き起こす問題が有った。
【特許文献１】特開２００３−２５８７５０号公報  （第４頁、第２図）
【発明の開示】
【発明が解決しようとする課題】
【０００８】
従来、１分長の纏められたＣＭ番組が１グループのイベント表示されていたものを、グループを構成する４つのタイトルが各１５秒単位でＣＭ番組が正しく送出されているかを確認するため、監視モニタ上に各番組名（イベント）をリスト表示するようになったが、画面が頻雑になり、またＣＭ前後の番組タイトルがモニタに表示されなくなる等の視認性の悪化を引き起こす問題が有った。
【０００９】
本発明は、上記問題を解決するためになされたもので、短時間に多数オンエアされるコンテンツのリストを視認性良く表示するオンエア番組表示システム、オンエア番組表示装置、およびその表示方法を提供することを目的とする。
【課題を解決するための手段】
【００１０】
上記目的を達成するために、本発明のオンエア番組表示システムは、放送局のＡＰＣを用いて放送される番組コンテンツを確認するオンエア番組表示システムにおいて、番組時刻表を元に所定の時刻に素材送出装置から所定のオンエアされる番組のコンテンツを送信器に向けて送出するイベント制御を行うＳＣＰと、モニタと、入力手段と、前記ＳＣＰとの間の通信手段を備え、前記通信手段を介して前記イベント制御を行うイベントデータを取得して時系列にオンエア時刻とその時刻にオンエアされる前記番組のコンテンツとを時系列にイベント欄として前記モニタの画面に表示するよう編集したオンエア番組リストを生成し、オンエアされるコンテンツが同一の番組枠を構成する複数の前記番組のコンテンツのグループで構成される場合、その複数のコンテンツのイベント欄の内、代表となる１つだけが残り、他が省略されたイベント欄に圧縮表示されたオンエア番組リストにして前記モニタ画面に表示するオンエア番組表示装置とを備えることを特徴とする。
【００１１】
また、本発明のオンエア番組表示装置は、ＡＰＣを用いて放送される番組時刻表を元に所定の時刻に素材送出装置から所定のオンエアされる番組のコンテンツを送信器に向けて送出するイベント制御を行うＳＣＰと通信手段を介して接続され、オンエアされる番組コンテンツを表示するオンエア番組表示装置において、モニタと、入力手段と、前記イベント制御を行うイベントデータを前記ＳＣＰから取得する前記通信手段と、前記取得したイベントデータを編集してオンエア時刻とオンエアされる前記番組のコンテンツとを並べたイベント欄としてモニタに時系列に表示するオンエア番組リストを生成し、更に前記オンエアされるコンテンツが同一の番組枠を構成する複数の前記番組のコンテンツのグループで構成される場合、その複数のコンテンツのイベント欄から代表となる１つだけを残し、他を省略して表示するオンエア番組リストにしてモニタ画面に表示する制御手段とを備えることを特徴とする。
【００１２】
更にまた、本発明のオンエア番組表示システムの表示方法は、ＳＣＰとオンエア番組送出装置を備え、放送局のＡＰＣを用いて放送される番組コンテンツを確認するオンエア番組表示システムにおいて、前記ＳＣＰは、番組時刻表を元に所定の時刻に素材送出装置から所定のオンエアされる番組のコンテンツを送信器に向けて送出するイベント制御を行い、オンエア番組表示装置は、前記ＳＣＰとの間で通信して前記イベント制御を行うイベントデータを取得して時系列にオンエア時刻とその時刻にオンエアされる前記番組のコンテンツとを時系列にイベント欄としてモニタの画面に表示するよう編集したオンエア番組リストを生成し、オンエアされるコンテンツが同一の番組枠を構成する複数の前記番組のコンテンツのグループで構成される場合、その複数のコンテンツのイベント欄の内、代表となる１つだけが残り、他が省略されたイベント欄に圧縮表示されたオンエア番組リストにして前記モニタ画面に表示することを特徴とする。
【発明の効果】
【００１３】
本発明によれば、短時間に多数オンエアされるコンテンツのリストを視認性良く、表示するオンエア番組表示システム、オンエア番組表示装置およびその表示方法を提供することができる。
【発明を実施するための最良の形態】
【００１４】
以下、図面を参照して本発明の実施例を説明する。
【実施例】
【００１５】
図１は、本発明の実施例に係るオンエア番組表示システムの機能系統図である。  
図１において、オンエア番組表示システムは、ＡＰＣ（番組自動送出設備）１の一部であり、例えば、ＶＴＲやビデオサーバ、カメラ等の複数の素材送出装置４（＃１〜＃ｎ、以下、特に必要が無い限り、各素材送出装置に共通な事項を説明する場合、素材送出装置４と省略して記す。）が入出力する信号の接続先を選択して切り換えるスイッチャ５、スイッチャ５や各素材送出装置４のイベントをリアルタイム制御するＲＴＰ（Ｒｅａｌ  Ｔｉｍｅ  Ｐｒｏｃｅｓｓｏｒ）６、ＡＰＣ１の上位のデータサーバから番組時刻表が入力され、番組時刻表に基づき所定の番組が送出されるようにＡＰＣ１に接続される装置等の構成要素の動作、処理に係わるイベントを各ＲＴＰ６を制御して行うＳＣＰ（Ｓｃｈｅｄｕｌｅ  Ｃｏｎｔｒｏｌ  Ｐｒｏｃｅｓｓｏｒ）２、ＳＣＰ２に接続されるオンエア番組表示装置３、各素材送出装置４等からの信号を多重して送信機へ向けて出力するＭＵＸ７と、またこれらの構成の間で制御信号を伝送するネットワーク８とを備えている。
【００１６】
ＳＣＰ２は、番組時刻表に従ってネットワーク８を介してイベントを制御する制御信号を送受信してＲＴＰ６を制御し、スイッチャ５、および各素材送出装置４から所定のコンテンツ（素材）を選択し、ＭＵＸ７を介して送信機へ向けて送出する制御を行う。
【００１７】
ＳＣＰ２は、オンエアで番組のコンテンツを送出する制御に関わり、例えば、ＶＴＲ４や、図示されない符号化装置等に対して、実際にオンエアをするタイミングに先立ち、準備に係わる動作処理も含めてＲＴＰ６を介して実行するイベント制御を行う。
【００１８】
オンエア番組表示装置３は、キーボードやマウス等の入力手段（図示せず。）と、ＳＣＰ２との間の通信手段を有するパーソナルコンピュータの様な情報端末装置である。オンエア番組表示装置３のＣＰＵ（図示せず）は、ＳＣＰ２から通信手段（図示せず）を介してイベントを制御する情報、イベントデータを取得し、オンエアされるコンテンツをオペレータが確認出来るよう、ＳＣＰ２から取得したオンエアに係わるイベントデータを時系列のリストに編集する。そして、そのオンエア番組リストを出力手段であるモニタのディスプレイ（図示せず。以下、モニタと称する。）の画面に表示する制御を行う。
【００１９】
ＳＣＰ２とオンエア番組表示装置３との間でこれらのイベントデータを授受する通信手段は、ＲＴＰ６とＳＣＰ２との間の各種の制御信号を伝送するために設けられるネットワーク、ＬＡＮを介して行うか、又は直接、ＳＣＰ２とオンエア番組表示装置３との間に設けられたリンク、バスライン等を使用する。
【００２０】
ＳＣＰ２の内部のＣＰＵ（図示せず。）は、放送コンテンツの名称等と送出タイミング（時刻情報）とを含むイベントデータをオンエア番組表示装置３に出力し、オンエア番組表示装置３は、オペレータに見易いようモニタに表示する編集、表示処理を行う。ＳＣＰ２のＣＰＵが、オンエア番組表示装置の代わりに編集、表示処理を併せて実行するものであっても良いがここでは説明の利便上、オンエア番組表示装置３として独立した装置である場合を例に動作処理を説明する。
【００２１】
図２は、同送されるコンテンツのオンエア番組リストの表示画面例である。
【００２２】
図２において、オンエア番組リストは、時刻情報とコンテンツ名等を並べたイベント欄になってモニタに時系列に表示されている。
【００２３】
図２（ａ）に示されるイベントは、広告番組の前後を含んだオンエア番組を表示する従来の表示画面例である。従来、記号Ｄ１で示されるイベントは、ＣＭ枠である１分の長さに編集された広告番組が時刻「１０：００：００」にイベント「ＣＭ１、ＣＭ１、ＳＴＲ、ＦＲＡＭＥ１」として送出される。
【００２４】
イベントの内容は、ＣＭ１（「ＣＭ」表示により広告である番組種別を示した映像名称）、ＣＭ１（「ＣＭ」表示により広告である番組種別を示した音声名称）、ＳＴＲ（ステレオ音声モード）、ＦＲＡＭＥ１（素材、即ち放送枠であるコンテンツを示す名称、番号等の識別情報）によって表されている。
【００２５】
このコンテンツは、この図２のイベントデータ上には記されていないが、例えば、図１における素材送出装置４（＃１）のＶＴＲから送出され、それに装着されたＶＴＲテープのＦＲＡＭＥ１という名前の広告番組用のコンテンツが送出（オンエアで放送）されることが表示されている。そして１分後の「１０：０１：００」にイベント「ＰＧ１、ＰＧ１、ＭＯＮＯ、ＨＰＧ０２」が続いて実行される。ここで、「ＰＧ１」は、「ＰＧ」表示により通常の収録放送である番組種別を示した映像、又は音声名称である。
【００２６】
図２（ｂ）のイベント欄Ｄ１１〜Ｄ１４で示されるイベントは、例えば、図１の素材送出装置４（＃２）のビデオサーバから、ＣＭ枠を構成する１５秒単位のオンエア番組として表示する例である。イベント欄Ｄ１１では、広告番組が時刻「１０：００：００」にイベント「ＣＭ１、ＣＭ１、ＳＴＲ、ＳＯＺＡＩ１」として送出されることが示され、イベント欄Ｄ１４まで１５秒単位で同様に各イベント欄が続けて表示されている。
【００２７】
図２では、イベントを６行で表示しているが、実際の表示でもモニタに表示されるイベントは、１０行程度である。前述の通り、広告番組は１分の広告枠に纏められて放送されるが１５秒単位で各広告のイベント表示を行うと、画面の半分近くがそれらのイベントの表示で埋められてしまい、前後にどの様なコンテンツが放送されるかのイベント欄が十分表示されなくなってしまう。
【００２８】
そこで、実施例では、画面の頻雑を防ぎ、前後のイベントを表示確認出来るようにすることを目的として、図２（ｃ）の様にこれら４つのイベントについては、先頭の１つのイベント欄Ｄ１１の「１０：００：００」「ＣＭ１、ＣＭ１、ＳＴＲ、ＳＯＺＡＩ１」で代表させ、残りの広告番組のイベント欄Ｄ１２〜Ｄ１４を省略した圧縮表示が行われている。この場合、モニタに表示される先頭のイベント欄Ｄ１１では、表示されるコンテンツ名称をそのまま「ＳＯＺＡＩＸ」とする。
【００２９】
そして、省略（圧縮表示）されていることをオペレータに判りやすく表示するために、例えば、圧縮表示部分（イベント欄）の文字を斜体の様な字体に変えるか、サイズ、太字、文字色、又は背景色等表示形態を変えることにより一層明確にするようにしても良い。一方、圧縮表示だけにすると、省略された部分のイベント欄が表示されなくなるので、省略部分を次の様に表示して確認する方法がある。
【００３０】
図３は、圧縮表示で省略された内容を重畳表示した表示画面の例である。  
図３（ａ）は、図２（ａ）と同様な従来の広告枠でイベント欄を表示する場合の画面表示例である。圧縮表示の画面を示している図３（ｂ）において、モニタ画面上で、「１０：００：００」または斜体表示部分「ＣＭ１、ＣＭ１、ＳＴＲ、ＳＯＺＡＩ１」（ここでは、イベント欄Ｃ２の部分。）の表示位置の何れかにマウスポインタを当てる。
【００３１】
その場合、そのマウスポインタの脇に圧縮表示前の本来表示される４つの１５秒毎のイベント、「１０：００：００」「ＣＭ１、ＣＭ１、ＳＴＲ、ＳＯＺＡＩ１」、「１０：００：１５」「ＣＭ１、ＣＭ１、ＳＴＲ、ＳＯＺＡＩ２」、「１０：００：３０」「ＣＭ１、ＣＭ１、ＳＴＲ、ＳＯＺＡＩ３」、「１０：００：４５」「ＣＭ１、ＣＭ１、ＳＴＲ、ＳＯＺＡＩ４」がモニタ画面上にイベント欄Ｃ３としてポップアップした表示形態で重畳表示される。
【００３２】
この重畳表示により、「ＣＭ１」という１分間の広告番組（ＣＭ枠）の中で送出される４つの広告コンテンツがそれぞれ表示されるのでその各コンテンツのタイトル、送出タイミング、イベントが確認出来る。また、このマウスポインタを例えば、「ＣＭ１、ＣＭ１、ＳＴＲ、ＳＯＺＡＩ１」から外せば、この重畳表示部分はモニタ画面からは表示されなくなり、必要な時のみ圧縮表示の詳細を表示確認出来るようになるので画面の頻雑さが無くなる。
【００３３】
また、ポップアップによる重畳表示の代わりに、マウスポインタが圧縮表示部分に当てられている場合、図２（ｂ）の様に圧縮表示をしない元のイベント欄Ｄ１２〜Ｄ１４を表示する画面になるようにしても良い。
【００３４】
自動的にオンエア番組表示装置が圧縮表示を行う手順を、以下に説明する。
【００３５】
図４は、圧縮表示を行う動作処理の手順示すフローチャートである。  
図４において、オンエア番組表示装置３は、ＳＣＰ２から各素材送出装置４に係わるイベントデータを入力して時系列にイベントをオンエア表示リストに編集したリストＬ１（ここでは、図２の（ｂ）に相当する。）を作成し、内部メモリに書込記憶する（ステップｓ１）。
【００３６】
そして、リストＬ１の先頭の番組種別を判読し、同じ種別で連続するもの、ここでは、ＣＭ枠１に属する、図２（ｂ）のイベント欄Ｄ１１〜Ｄ１２（ＳＯＺＡＩ１〜ＳＯＺＡＩ４）までを図３（ｂ）のＣ３に相当する１つのグループとする（ステップｓ２）。
【００３７】
更に、そのグループ中の先頭のイベント欄Ｄ１１の「１０：００：００」「ＣＭ１、ＣＭ１、ＳＴＲ、ＳＯＺＡＩ１」を残し、他のイベントの表示を省略した図３（ｂ）のＣ２に変更した圧縮表示の表示リストＬ２に編集して内部メモリに書込記憶する（ステップｓ３）。
【００３８】
そして、先のグループ中の先頭のイベント欄Ｄ１１と図３（ｂ）のＣ２、およびグループを構成するイベント欄Ｄ１１〜Ｄ１２（ＳＯＺＡＩ１〜ＳＯＺＡＩ４）を示すＣ３との間でリンク設定をする（ステップｓ４）。
【００３９】
更に、リストＬ２での先頭のイベント表示文字、ここでは、図３（ｂ）のＣ２にあたる「ＣＭ１、ＣＭ１、ＳＴＲ、ＳＯＺＡＩ１」の字体を圧縮表示であることを示す斜体に変更してオンエア番組表示装置３のモニタ画面に表示する（ステップｓ５）。
【００４０】
オペレータによってマウスポインタが、圧縮表示部分、言い換えれば斜体文字表示のイベント欄（ここでは、図３のイベント欄Ｃ２）に当てられた場合（ステップｓ６がＹｅｓ）、オンエア番組表示装置３は、リストＬ１を読出してリストＬ２と照合し、そのリンク先を検索して、図２（ｂ）のイベント欄Ｄ１１〜Ｄ１４、即ち、図３（ｂ）のイベント欄Ｃ３をモニタ画面に重畳表示させる（ステップｓ７）。
【００４１】
なお、ステップｓ５の圧縮表示であることを示すには、字体を斜体に変える以外に、例えば、文字色、又は背景色を変える、反転表示する等の方法がある。
【００４２】
また、圧縮表示方法は、以下の様な第２の圧縮表示方法にしてもよい。
【００４３】
図５は、第２の圧縮表示方法によるオンエア番組リストの表示画面の例である。  
図５（ａ）は、図２（ａ）と同様な従来の広告枠でイベント欄を表示する場合の表示例である。図５（ｂ）により、圧縮表示を第２の圧縮表示方法で表示する内容を説明する。
【００４４】
一度図２に戻る。図２（ｂ）では圧縮表示前の４つのイベント欄Ｄ１１〜Ｄ１４あるが、４つのイベントは、「ＣＭ１」というカテゴリ分類によって、本来１分長のＣＭ枠を構成する広告番組で有ることが示されている。
【００４５】
そこで、第２の圧縮表示方法においてオンエア番組表示装置３は、この４つのイベント欄を一纏めにして、例えば従来と同様にＣＭ枠としての「ＦＲＡＭＥ１」と言う番組（集合コンテンツ）名を命名し、図５（ｂ）のイベント欄ｄ１に示される如く「ＦＲＡＭＥ１」を第１の圧縮表示方法におけるグループの先頭のイベント欄に代わって圧縮表示に用いる。そして、圧縮表示であることを示す例えば、斜体文字にしてモニタ画面上に表示する。
【００４６】
また、イベント欄ｄ１の内訳を表示するために、図３（ｂ）のイベント欄Ｃ３と同様に重畳表示するようにしても良い。その場合、圧縮された元の各イベント欄が判読出来る。その処理手順は、圧縮表示の第１の方法と同様であり、容易に類推できるので説明詳細は省略する。
【００４７】
この圧縮表示は、ここでは広告番組の所謂ＣＭ枠に含まれるコンテンツを放送するイベント例に説明したが、広告番組に限ることなく報道番組等で複数のコンテンツをグループにした番組枠で管理されるコンテンツを対象にする場合、本発明の圧縮表示方法が適用される。
【００４８】
また、この第１、第２のいずれの方法で代表イベント欄として圧縮表示するかをオンエア番組表示装置３のキーボード等の入力手段から選択して設定出来るようにしても良い。
【００４９】
このほか、圧縮表示する代表イベントの設定方法は、このほか、グループの先頭の代わりに最終のイベント欄を表示するか、又は、オペレータがオンエア番組表示装置の入力手段からグループ中の何れかの番組をマウス等で指定するようにしても良い。
【００５０】
例えば、図２（ｂ）のイベント欄Ｄ１１〜Ｄ１４をオペレータがマウスでドラッグし、反転表示する等によりグループ指定を行い、次にその反転表示したイベント欄の内、代表的なコンテンツであるイベント欄Ｄ１２を更にクリックして代表イベント欄に設定する指定方法がある。
【００５１】
以上説明した如く、本発明のオンエア番組表示システムでは、多数オンエアされるコンテンツのリストを視認性良く、表示することが出来る。また、本発明は、上記実施形態そのままに限定されるものではなく、実施段階では、その要旨に外れない範囲で構成要素を変ることが出来る。
【図面の簡単な説明】
【００５２】
【図１】本発明の実施例に係るオンエア番組表示システムの機能系統図。
【図２】放送されるコンテンツのオンエア番組リストの表示画面の例。
【図３】圧縮表示で省略された内容を重畳表示した表示画面の例。
【図４】圧縮表示を行う動作処理の手順示すフローチャート。
【図５】第２の圧縮表示方法によるオンエア番組リストの表示画面の例。
【符号の説明】
【００５３】
１  ＡＰＣ
２  ＳＣＰ  
３  オンエア番組表示装置
４  素材送出装置（＃１〜＃ｎ）
５  スイッチャ
６  ＲＴＰ（Ｒｅａｌ  Ｔｉｍｅ  Ｐｒｏｃｅｓｓｏｒ）
７  ＭＵＸ（多重装置）
８  ネットワーク
Ｃ１、Ｃ２、Ｃ３、Ｄ１１〜Ｄ１４、ｄ１  イベント欄
【図１】
2008148107.tif 000003
【図２】
2008148107.tif 000004
【図３】
2008148107.tif 000005
【図４】
2008148107.tif 000006
【図５】
2008148107.tif 000007